(57)【特許請求の範囲】
【請求項１】
空気調和機の室内機内部に、室内熱交換器と送風ファンと、前記送風ファンを回転させるファンモータと、前記送風ファンの回転数を検出する回転数検出手段と、前記回転数検出手段で検出された送風ファンの回転数が予め定められた目標回転数になるようにフィードバック制御を行うファン回転数制御手段と、前記室内機の空気吹出口に風向きを垂直方向に変化させる上下羽根と、風向きを水平方向に変化させる複数の左右羽根を具備した空気調和機において、前記上下羽根と複数の左右羽根の向きを、送出される風向きが中央寄りとなるスポット風向の位置に設定した場合に、前記送風ファンの目標回転数を所定の回転数だけ高めに補正するようにした空気調和機の送風ファン制御方法。
【請求項２】
空気調和機の室内機内部に、室内熱交換器と送風ファンと、前記送風ファンを回転させるファンモータと、前記送風ファンの回転数を検出する回転数検出手段と、前記回転数検出手段で検出された送風ファンの回転数が予め定められた目標回転数になるようにフィードバック制御を行うファン回転数制御手段と、前記室内機の空気吹出口に風向きを垂直方向に変化させる上下羽根と、風向きを水平方向に変化させる複数の左右羽根を具備した空気調和機において、前記上下羽根と前記複数の左右羽根の向きを、送出される風向きが左右に分散して吹き出すワイド風向の位置に設定した場合に、暖房運転時は前記送風ファンの目標回転数を所定の回転数だけ低めに補正するようにした空気調和機の送風ファン制御方法。
【請求項３】
空気調和機の室内機内部に、室内熱交換器と送風ファンと、前記送風ファンを回転させるファンモータと、前記送風ファンの回転数を検出する回転数検出手段と、前記回転数検出手段で検出された送風ファンの回転数が予め定められた目標回転数になるようにフィードバック制御を行うファン回転数制御手段と、前記室内機の空気吹出口に風向きを垂直方向に変化させる上下羽根と、風向きを水平方向に変化させる複数の左右羽根を具備した空気調和機において、前記室内熱交換器に配管温度を検出する配管温度検出手段を設けて、前記上下羽根と前記複数の左右羽根の向きを、送出される風向きが中央寄りとなるスポット風向の位置に設定した場合に、暖房運転時は前記室内熱交換器の配管温度が所定の配管温度より高い場合のみ、前記送風ファンの目標回転数を所定の回転数だけ高めに補正するようにした空気調和機の送風ファン制御方法。
【請求項４】
空気調和機の室内機内部に、室内熱交換器と送風ファンと、前記送風ファンを回転させるファンモータと、前記送風ファンの回転数を検出する回転数検出手段と、前記回転数検出手段で検出された送風ファンの回転数が予め定められた目標回転数になるようにフィードバック制御を行うファン回転数制御手段と、前記室内機の空気吹出口に風向きを垂直方向に変化させる上下羽根と、風向きを水平方向に変化させる複数の左右羽根を具備した空気調和機において、前記室内熱交換器に配管温度を検出する配管温度検出手段を設けて、前記上下羽根と前記複数の左右羽根の向きを、送出される風向きが左右に分散して吹き出すワイド風向の位置に設定した場合に、暖房運転時は前記室内熱交換器の配管温度が所定の配管温度より低い場合のみ、前記送風ファンの目標回転数を所定の回転数だけ低めに補正するようにした空気調和機の送風ファン制御方法。
【発明の詳細な説明】
【０００１】
【発明の属する技術分野】
本発明は、空気調和機の送風ファン制御方法に関するものである。
【０００２】
【従来の技術】
従来の空気調和機の送風ファン制御方法は、送風ファンの回転数を検出し、送風ファンの回転数が負荷変動や電源電圧変動によって変化しようとしても、予め設定された目標回転数を維持するように制御する方法が知られている。
【０００３】
【発明が解決しようとする課題】
空気調和機により室内環境を制御する場合、室内の居住空間に向けて集中的に吹出し風を送出し、冷房感や暖房感を室内の居住者に積極的に与えたい場合や、冷風感を与えずに室内の隅々まで均一に暖めたい場合がある。
【０００４】
しかしながら、上記従来の送風ファンの制御方法では、風向変更羽根の角度により通風抵抗の増減が発生し負荷が変動した場合でも、予め設定された目標回転数で回転する。したがって、通風抵抗が増加した場合には、送風能力の低下により吹出し風の風速が不十分となり、室内の居住者に十分な冷房感や暖房感が与えられないという問題がある。
【０００５】
また、通風抵抗が減少した場合には、送出される風量が増加するため、暖房運転時には室内熱交換器の温度が低下し、吹出し風の温度が低下するため、室内居住者に冷風感を与えてしまうという問題がある。
【０００６】
さらに、暖房運転時には、風量低下等により、室内熱交換器の温度が過度に上昇すると、空気調和機は過負荷運転状態に陥ることとなり、空気調和機に負荷を与えてしまうという問題がある。
【０００７】
そこで、本発明はこのような従来の課題に対して、空気調和機の風向位置状態により送風ファンの目標回転数を所定の回転数だけ補正することにより、吹出し風の風速の低下や温度の低下を防止して、居住空間の快適性を向上させる空気調和機の送風ファン制御方法を提供することを目的とする。
【０００８】
【課題を解決するための手段】
上記課題を解決するために請求項１記載の発明は、空気調和機の室内機内部に、室内熱交換器と送風ファンと、前記送風ファンを回転させるファンモータと、前記送風ファンの回転数を検出する回転数検出手段と、前記回転数検出手段で検出された送風ファンの回転数が予め定められた目標回転数になるようにフィードバック制御を行うファン回転数制御手段と、前記室内機の空気吹出口に風向きを垂直方向に変化させる上下羽根と、風向きを水平方向に変化させる複数の左右羽根を具備した空気調和機において、前記上下羽根と前記複数の左右羽根の向きを、送出される風向きが中央寄りとなるスポット風向の位置に設定した場合に、前記送風ファンの目標回転数を所定の回転数だけ高めに補正するようにしたものである。
【０００９】
この構成により、スポット風向時に、送風ファンの目標回転数を所定の回転数だけ高めに補正するようにしたので、通風抵抗の増加による送風性能の低下を防止することができ、集中的な吹出し風の風速を確保できるので、居住者に十分な冷房感、暖房感を与えることができる。
【００１０】
また、請求項２記載の発明は、空気調和機の室内機内部に、室内熱交換器と送風ファンと、前記送風ファンを回転させるファンモータと、前記送風ファンの回転数を検出する回転数検出手段と、前記回転数検出手段で検出された送風ファンの回転数が予め定められた目標回転数になるようにフィードバック制御を行うファン回転数制御手段と、前記室内機の空気吹出口に風向きを垂直方向に変化させる上下羽根と、風向きを水平方向に変化させる複数の左右羽根を具備した空気調和機において、前記上下羽根と前記複数の左右羽根の向きを、送出される風向きが左右に分散して吹き出すワイド風向の位置に設定した場合に、暖房運転時は前記送風ファンの目標回転数を所定の回転数だけ低めに補正するようにしたものである。
【００１１】
この構成により、ワイド風向に設定した場合、暖房運転時は送風フアンの目標回転数を所定の回転数だけ低めに補正するようにしたので、通風抵抗の減少による風量の増加を防止できるため、居住者に冷風感を与えることがない。
【００１２】
また、請求項３記載の発明は、空気調和機の室内機内部に、室内熱交換器と送風ファンと、前記送風ファンを回転させるファンモータと、前記送風ファンの回転数を検出する回転数検出手段と、前記回転数検出手段で検出された送風ファンの回転数が予め定められた目標回転数になるようにフィードバック制御を行うファン回転数制御手段と、前記室内機の空気吹出口に風向きを垂直方向に変化させる上下羽根と、風向きを水平方向に変化させる複数の左右羽根を具備した空気調和機において、前記室内熱交換器に配管温度を検出する配管温度検出手段を設けて、前記上下羽根と前記複数の左右羽根の向きを、送出される風向きが中央寄りとなるスポット風向の位置に設定した場合に、暖房運転時は前記室内熱交換器の配管温度が所定の配管温度より高い場合のみ、前記送風ファンの目標回転数を所定の回転数だけ高めに補正するようにしたものである。
【００１３】
この構成により、スポット風向時に、暖房運転時の室内熱交換器の配管温度が高い時だけ、送風ファンの目標回転数を所定の回転数だけ高めに補正するので、室内熱交換器の配管温度が低い、即ち吹き出し風の風温が低い場合にスポット風向に設定した場合でも、居住者に集中的な低い温度の風があたることを防止できる。
【００１４】
さらに、請求項４記載の発明は、空気調和機の室内機内部に、室内熱交換器と送風ファンと、前記送風ファンを回転させるファンモータと、前記送風ファンの回転数を検出する回転数検出手段と、前記回転数検出手段で検出された送風ファンの回転数が予め定められた目標回転数になるようにフィードバック制御を行うファン回転数制御手段と、前記室内機の空気吹出口に風向きを垂直方向に変化させる上下羽根と、風向きを水平方向に変化させる複数の左右羽根を具備した空気調和機において、前記室内熱交換器に配管温度を検出する配管温度検出手段を設けて、前記上下羽根と前記複数の左右羽根の向きを、送出される風向きが左右に分散して吹き出すワイド風向の位置に設定した場合に、暖房運転時は前記室内熱交換器の配管温度が所定の配管温度より低い場合のみ、前記送風ファンの目標回転数を所定の回転数だけ低めに補正するようにしたものである。
【００１５】
この構成により、ワイド風向に設定した場合に、暖房運転時は室内熱交換器の配管温度が低い時だけ、送風ファンの目標回転数を所定の回転数だけ低めに補正するので、暖房運転時に室内熱交換器の配管温度が高い時に、ワイド風向に設定した場合でも、空気調和機が過負荷状態に陥ることを防止できる
【００１６】
【発明の実施の形態】
以下、本発明の実施の形態について図面を参照して説明する。
【００１７】
（実施の形態１）
図１および図２において、Ａは空気調和機、１は前面カバー、２は空気吸込口、３は室内熱交換器、４は送風ファン、５はリアガイダ、６はスタビライザ、８は空気の吹出口である。
【００１８】
また、空気吹出口８に、風の流れを上下方向（垂直方向）に変化させるための上下羽根１９ａ、１９ｂが、上下方向に回動自在に軸支されている。
【００１９】
前記上下羽根１９ａ、１９ｂは、水平方向に３分割されており、中央部に配置される中央部上下羽根１９ａと、左右部に配置される複数の左右部上下羽根１９ｂから構成されている。
【００２０】
そして、前記左右部上下羽根１９ｂは互いに連動して回動され、一方の中央部上下羽根１９ａは前記左右部上下羽根１９ｂとは独立して回動する。
【００２１】
これら、上下羽根１９ａ、１９ｂは、ステッピングモータ等（図示せず）にて駆動される。
【００２２】
また前記吹出口８近傍に、風の流れを水平方向（左右方向）に変化させるための左右羽根２０が、左右方向に回動自在に軸支して配設される。
【００２３】
そして、前記左右羽根２０は図３に示すように、前記吹出口８の中央部に配置される複数の中央部左右羽根２０ａと、前記吹出口８の左右部に配置される複数の端部左右羽根２０ｂを分割して配置している。
【００２４】
さらに、前記中央部左右羽根２０ａと端部左右羽根２０ｂは、連結桟２３によって連動するようにブロック化されている。
【００２５】
また、前記端部左右羽根２０ｂは、略水平方向に回動自在に軸支された台座２２上に支持されている。
【００２６】
これら、前記左右羽根２０は、ステッピングモータ等（図示せず）にて駆動される。
【００２７】
次に前記上下羽根１９と前記左右羽根２０の動作について説明する。
【００２８】
図３において、吹出口８からの風の流れを中央に集中させて吹き出させるスポット風向の場合は、図３（ｂ）に示すように左右部上下羽根１９ｂを垂直方向に回動して吹出口８を閉じぎみ状態に、中央部上下羽根１９ａは斜め下部方向に回動して吹出口８を開放する状態にし、また、左右羽根２０は中央部左右羽根２０ａおよび端部左右羽根２０ｂ共に、夫々前記吹出口８の中央部方向の向きに回動して風が中央部に集中して吹き出すように設定される。
【００２９】
また、吹出口８からの風の流れを左右に分散させて吹き出させるワイド風向の場合は、図３（ｃ）に示すように左右部上下羽根１９ｂを斜め下部方向に回動して吹出口８を開放する状態に、中央部上下羽根１９ａは垂直方向に回動して吹出口８を閉じぎみ状態に、また、左右羽根２０は中央部左右羽根２０ａおよび端部左右羽根２０ｂ共に、夫々前記吹出口８の左右方向の向きに回動して風が左右に分散してワイドに吹き出す状態に設定される。
【００３０】
次に本実施の形態における、制御装置の構成について説明する。
【００３１】
図４において、４１は空気調和機の運転制御を行うマイコン４２を搭載した制御基板であり、室内機Ａの内部に収納されている。
【００３２】
前記マイコン４２には、前記送風ファンの回転数を検出する回転数検出手段と、前記回転数検出手段で検出された送風ファンの回転数が予め定められた目標回転数になるようにフィードバック制御を行うファン回転数制御手段と、前記送風ファンの目標回転数を補正する回転数補正手段および上下羽根１９と左右羽根２０の風向位置を制御する風向制御手段等のプログラムが設定されている。
【００３３】
４３はファンモータを駆動するファンモータ駆動回路、４４は送風ファン４を駆動するファンモータ、４５は上下羽根用モータ駆動回路、４６は上下羽根用モータ、４７は左右羽根用モータ駆動回路、４８は左右羽根用モータ、４９は室内熱交換器３の配管温度を検出する配管温度センサ、５０は前記送風ファン４の回転数を検出するための磁気センサ等からなる回転数検出手段である。
【００３４】
なお、前記回転数検出手段５０は、前記ファンモータ４４にホールＩＣ等を内臓して回転数を検出する他の手段を用いることもできる。
【００３５】
次に、本実施の形態１における上下羽根１９と左右羽根２０の動作、および送風ファン４の回転数制御の動作について、図５の制御フローチャート図を用いて説明する。
【００３６】
図５において、まず室内機Ａを運転すると、送風ファン４により空気吸込口２から導入された空気は、スタビライザ６とリアガイダ５により形成された送風路７（図２）を介して空気吹出口８から送出される。
【００３７】
ステップＳ１０１での室内機Ａの運転状態に応じて、送風ファン４の目標回転数ｒ１を設定する。
【００３８】
ステップＳ１０２で上下羽根１９と左右羽根２０の風向位置を夫々設定する。
【００３９】
次に、ステップＳ１０３で、設定された風向位置が図３（ｂ）に示すようなスポット風向かどうかを判定する。その結果、風向位置がスポット風向でないと判定した場合はステップＳ１０５に進み、風向位置がスポット風向であると判定した場合はステップＳ１０４へ進む。
【００４０】
ステップＳ１０４では、風向位置がスポット風向の場合における送風ファン４の目標回転数ｒ１の補正値Δｒ１を算出し、目標回転数ｒ１に補正値Δｒ１を加算した新しい目標回転数ｒ２（＝ｒ１＋Δｒ１）が再設定されてステップＳ１０５へ進む。
【００４１】
ステップＳ１０５で、送風ファン４の回転数ｒ３を回転数検出手段５０により検出する。
【００４２】
ステップＳ１０６で、検出した回転数ｒ３が新しい目標回転数ｒ２になっているかどうかを判別する。その結果、送風ファン４の回転数が新しい目標回転数ｒ２であればステップＳ１０７に進みそのままの新しい回転数ｒ３（≒ｒ２）を維持するように制御を行う。
【００４３】
そうでなければステップＳ１０８に進み、ステップＳ１０８でファンモータ４４の駆動電圧を調節して、送風ファン４が新しい目標回転数ｒ２になるように調整されてステップＳ１０５に戻る。
【００４４】
その後は、送風ファン４の新しい目標回転数ｒ２が変更されるまで、そのままの回転数ｒ３（≒ｒ２）を維持するように回転数制御が行われる。
【００４５】
また、ステップＳ１０３で、風向位置がスポット風向でないと判定した場合はステップＳ１０５に進み、以下の制御が実施される。
【００４６】
ステップＳ１０５で、送風ファン４の回転数ｒ５を回転数検出手段５０により検出する。
【００４７】
ステップＳ１０６で、検出した回転数ｒ５が目標回転数ｒ１になっているかどうかを判別する。その結果、送風ファン４の回転数が目標回転数ｒ１であればステップＳ１０７に進み、そのまま現状の回転数ｒ５（≒ｒ１）を維持するように制御を行う。
【００４８】
そうでなければステップＳ１０８に進み、ステップＳ１０８でファンモータ４４の駆動電圧を調節して、送風ファン４が目標回転数ｒ１になるように調整されてステップＳ１０５に戻る。
【００４９】
この構成によれば、スポット風向時に、送風ファン４の目標回転数を所定の回転数だけ高めに補正するようにしたので、通風抵抗の増加による送風性能の低下を防止することができ、集中的な吹出し風の風速を確保できるので、居住者に十分な冷房感、暖房感を与えることができる。
【００５０】
（実施の形態２）
図６において、まず室内機Ａを運転すると、送風ファン４により空気吸込口２から導入された空気は、送風路７（図２）を介して空気吹出口８から送出される。
ステップＳ２０１で室内機Ａの運転状態に応じて、送風ファン４の目標回転数ｒ２１を設定する。
【００５１】
ステップＳ２０２で上下羽根１９と左右羽根２０の風向位置を夫々設定する。
【００５２】
次に、ステップＳ２０３で、設定された風向位置が図３（ｃ）に示すようなワイド風向かどうかを判定する。その結果、風向位置がワイド風向でないと判定した場合はステップＳ２０６に進み、風向位置がワイド風向であると判定した場合はステップＳ２０４へ進む。
【００５３】
ステップＳ２０４で、室内機Ａの運転モードが暖房運転かどうかを判定する。その結果、運転モードが暖房運転でないと判定した場合はステップＳ２０６に進み、運転モードが暖房運転であると判定した場合はステップＳ２０５へ進む。
【００５４】
ステップＳ２０５で、風向位置がワイド風向の場合における送風ファン４の目標回転数ｒ２１の補正値Δｒ２１を算出し、目標回転数ｒ２１から補正値Δｒ２１を減算した新しい目標回転数ｒ２２（＝ｒ２１−Δｒ２１）が再設定されてステップＳ２０６へ進む。
【００５５】
ステップＳ２０６で、送風ファン４の回転数ｒ２３を回転数検出手段により検出する。
【００５６】
そしてステップＳ２０７で、検出した回転数ｒ２３が新しい目標回転数ｒ２２になっているかどうかを判別する。その結果、送風ファン４の回転数ｒ２３が新しい目標回転数ｒ２２であれば、ステップＳ２０８に進みそのままの回転数ｒ２３（≒ｒ２２）を維持するように制御を行う。
【００５７】
そうでなければステップＳ２０９に進み、ステップＳ２０９でファンモータ４４の駆動電圧を調節して、送風ファン４を新しい目標回転数ｒ２２になるように調整してステップＳ２０６に戻る。
【００５８】
その後は送風ファン４の新しい目標回転数ｒ２２が変更されるまで、そのままの回転数ｒ２３（≒ｒ２２）を維持するように回転数制御が行われる。
【００５９】
また、ステップ２０３で、風向位置がスポット風向でないと判定した場合、およびステップ２０４で、暖房運転でないと判定した場合は、ステップＳ２０６に進み、以下の制御が実施される。
【００６０】
ステップＳ２０６で、送風ファン４の回転数ｒ２５を回転数検出手段５０により検出する。
【００６１】
ステップＳ２０６で、検出した回転数ｒ２５が目標回転数ｒ２１になっているかどうかを判別する。その結果、送風ファン４の回転数が目標回転数ｒ２１であればステップＳ２０７に進み、そのまま現状の回転数ｒ２５（≒ｒ２１）を維持するように制御を行う。
【００６２】
そうでなければステップＳ２０９に進み、ステップＳ２０９でファンモータ４４の駆動電圧を調節して、送風ファン４が目標回転数ｒ２１になるように調整されてステップＳ２０６に戻る。
【００６３】
この構成によれば、ワイド風向に設定した場合、暖房運転時は送風フアン４の目標回転数を所定の回転数だけ低めに補正するようにしたので、通風抵抗の減少による風量の増加を防止できるため、居住者に冷風感を与えることがない。
【００６４】
（実施の形態３）
図７において、まず室内機Ａを運転すると、送風ファン４により空気吸込口２から導入された空気は、送風路７（図２）を介して空気吹出口８から送出される。
ステップＳ３０１で室内機Ａの運転状態に応じて、送風ファン４の目標回転数ｒ３１を設定する。
【００６５】
ステップＳ３０２で上下羽根１９と左右羽根２０の風向位置を夫々設定する。
【００６６】
次に、ステップＳ３０３で、設定された風向位置が図３（ｂ）に示すようなスポット風向かどうかを判定する。その結果、風向位置がスポット風向でないと判定した場合はステップＳ３０８に進み、風向位置がスポット風向であると判定した場合はステップＳ３０４へ進む。
【００６７】
ステップＳ３０４で、室内機Ａの運転モードが暖房運転かどうかを判定する。その結果、運転モードが暖房運転でないと判定した場合はステップＳ３０７に進み、運転モードが暖房運転であると判定した場合はステップＳ３０５へ進む。
【００６８】
次にステップＳ３０５で、室内熱交換器３の配管温度を配管温度センサ５０で検出する。
【００６９】
ステップＳ３０６で、室内熱交換器３の配管温度が所定の温度より高いかどうかを判定する。その結果、配管温度が低いと判定した場合はステップＳ３０８に進み、配管温度が高いと判定した場合はステップＳ３０７へ進む。
【００７０】
ステップＳ３０７で、風向位置がスポット風向の場合における送風ファン４の目標回転数ｒ３１の補正値Δｒ３１を算出し、目標回転数ｒ３１から補正値Δｒ３１を加算した新しい目標回転数ｒ３２（＝ｒ３１＋Δｒ３１）が再設定されてステップＳ３０８へ進む。
【００７１】
ステップＳ３０８で、送風ファン４の回転数ｒ３３を回転数検出手段５０により検出してステップＳ３０９に進む。
【００７２】
ステップＳ３０９で、検出した回転数ｒ３３が新しい目標回転数ｒ３２になっているかどうかを判別する。その結果、送風ファン４の回転数が新しい目標回転数ｒ３２であればステップＳ３１０に進みそのままの回転数ｒ３３（≒ｒ３２）を維持するように制御を行う。
【００７３】
そうでなければステップＳ３１１に進み、ステップＳ３１１でファンモータ４４の駆動電圧を調節して、送風ファン４が新しい目標回転数ｒ３２になるように調整されてステップＳ３０８に戻る。
【００７４】
その後は、送風ファン４の新しい目標回転数ｒ３２が変更されるまで、そのままの回転数ｒ３３（≒ｒ３２）を維持するように回転数制御が行われる。
【００７５】
またステップ３０３で、スポット風向ではないと判定された場合、およびステップ３０６で、所定の配管温度より高くはないと判定された場合は、ステップＳ３０８に進み以下の制御が実施される。
【００７６】
ステップＳ３０８で、送風ファン４の回転数ｒ３５を回転数検出手段５０により検出してステップ３０９に進む。
【００７７】
ステップＳ３０９で、検出した回転数ｒ３５が、目標回転数ｒ３１になっているかどうかを判別する。その結果、送風ファン４の回転数が目標回転数ｒ３１であればステップＳ３１０に進み、そのまま現状の回転数ｒ３５（≒ｒ３１）を維持するように制御を行う。
【００７８】
そうでなければステップＳ３１１に進み、ステップＳ３１１でファンモータ４４の駆動電圧を調節して、送風ファン４が目標回転数ｒ３１になるように調整されてステップＳ３０８に戻る。
【００７９】
この構成によれば、スポット風向時に、暖房運転時の室内熱交換器３の配管温度が高い時だけ、送風ファン４の目標回転数を所定の回転数だけ高めに補正するので、室内熱交換器３の配管温度が低い、即ち吹き出し風の風温が低い場合にスポット風向に設定した場合でも、居住者に集中的な低い温度の風があたることを防止できる。
【００８０】
（実施例４）
図８において、まず室内機Ａを運転すると、送風ファン４により空気吸込口２から導入された空気は、送風路７（図２）を介して空気吹出口８から送出される。
【００８１】
ステップＳ４０１で室内機Ａの運転状態に応じて、送風ファン４の目標回転数ｒ４１を設定する。
【００８２】
ステップＳ４０２で上下羽根１９と左右羽根２０の風向位置を夫々設定する。
【００８３】
次に、ステップＳ４０３で、設定された風向位置が図３（ｃ）に示すようなワイド風向かどうかを判定する。その結果、風向位置がワイド風向でないと判定した場合はステップＳ４０８に進み、風向位置がスポット風向であると判定した場合はステップＳ４０４へ進む。
【００８４】
ステップＳ４０４で、室内機Ａの運転モードが暖房運転かどうかを判定する。その結果、運転モードが暖房運転でないと判定した場合はステップＳ４０８に進み、運転モードが暖房運転であると判定した場合はステップＳ４０５へ進む。
【００８５】
次にステップＳ４０５で、室内熱交換器３の配管温度を配管温度センサ５０で検出する。
【００８６】
ステップＳ４０６で、室内熱交換器３の配管温度が所定の温度より高いかどうかを判定する。その結果、配管温度が低いと判定した場合はステップＳ４０７に進み、配管温度が高いと判定した場合はステップＳ４０８へ進む。
【００８７】
ステップＳ４０７では、ステップＳ４０６で配管温度が低いと判定した場合は、暖房時でかつワイド風向の場合における送風ファン４の目標回転数ｒ４１の補正値Δｒ４１を算出し、目標回転数ｒ４１から補正値Δｒ４１を減算した新しい目標回転数ｒ４２（＝ｒ４１−Δｒ４１）が再設定されてステップＳ４０８へ進む。
【００８８】
ステップＳ４０８で、送風ファン４の回転数ｒ４３を回転数検出手段５０により検出してステップＳ４０９に進む。
【００８９】
ステップＳ４０９で、検出した回転数ｒ４３が新しい目標回転数ｒ４２になっているかどうかを判別する。その結果、送風ファン４の回転数が新しい目標回転数ｒ４２であればステップＳ４１０に進みそのままの回転数ｒ４３（≒ｒ４２）を維持するように制御を行う。
【００９０】
そうでなければステップＳ４１１に進み、ステップＳ４１１でファンモータ４４の駆動電圧を調節して、送風ファン４が新しい目標回転数ｒ４２になるように調整されてステップＳ４０８に戻る。
【００９１】
その後は送風ファン４の新しい目標回転数ｒ４２が変更されるまで、そのままの回転数ｒ４３（≒ｒ４２）を維持するように回転数制御が行われる。
【００９２】
また、ステップ４０３においてワイド風向ではないと判定された場合、ステップ４０４で暖房運転でないと判定された場合、およびステップ４０６で所定の配管温度より高いと判定された場合は、いずれの場合もステップＳ４０８に進み以下の制御が実施される。
【００９３】
ステップＳ４０８で、送風ファン４の回転数ｒ４５を回転数検出手段５０により検出してステップ４０９に進む。
【００９４】
ステップＳ４０９で、検出した回転数ｒ４５が、目標回転数ｒ４１になっているかどうかを判別する。その結果、送風ファン４の回転数が目標回転数ｒ４１であればステップＳ４１０に進み、そのまま現状の回転数ｒ４５（≒ｒ４１）を維持するように制御を行う。
【００９５】
そうでなければステップＳ４１１に進み、ステップＳ４１１でファンモータ４４の駆動電圧を調節して、送風ファン４が目標回転数ｒ４１になるように調整されてステップＳ４０８に戻る。
【００９６】
この構成によれば、ワイド風向に設定した場合に、暖房運転時は室内熱交換器３の配管温度が低い時だけ、送風ファン４の目標回転数を所定の回転数だけ低めに補正するので、暖房運転時に室内熱交換器３の配管温度が高い時に、ワイド風向に設定した場合でも、空気調和機が過負荷状態に陥ることを防止できる。
【００９７】
なお、本発明の各実施の形態における前記上下羽根は、スポット風向とワイド風向を効果的にするため三分割した構成として説明したが、三分割せずに一枚構成としてもほぼ同様の効果が得られるものである。
【００９８】
【発明の効果】
上記説明より明らかなように、請求項１記載の発明によれば、空気調和機の室内機内部に、室内熱交換器と送風ファンと、前記送風ファンを回転させるファンモータと、前記送風ファンの回転数を検出する回転数検出手段と、前記回転数検出手段で検出された送風ファンの回転数が予め定められた目標回転数になるようにフィードバック制御を行うファン回転数制御手段と、前記室内機の空気吹出口に風向きを垂直方向に変化させる上下羽根と、風向きを水平方向に変化させる複数の左右羽根を具備した空気調和機において、送出される風向きが中央寄りとなるスポット風向の位置に設定した場合に、前記送風ファンの目標回転数を所定の回転数だけ高めに補正するようにしたので、前記上下羽根と前記複数の左右羽根の向きをスポット風向にすることによる、通風抵抗の増加に伴う送風性能の低下を防止することができる。
【００９９】
その結果、吹出し風の十分な風速を確保できるので、居住者に十分な冷房感、暖房感を与えることができ、居住空間の快適性を向上させることができる。
【０１００】
請求項２記載の発明によれば、空気調和機の室内機内部に、室内熱交換器と送風ファンと、前記送風ファンを回転させるファンモータと、前記送風ファンの回転数を検出する回転数検出手段と、前記回転数検出手段で検出された送風ファンの回転数が予め定められた目標回転数になるようにフィードバック制御を行うファン回転数制御手段と、前記室内機の空気吹出口に風向きを垂直方向に変化させる上下羽根と、風向きを水平方向に変化させる複数の左右羽根を具備した空気調和機において、前記上下羽根と複数の左右羽根の向きを、送出される風向きが左右に分散して吹き出すワイド風向の位置に設定した場合に、暖房運転時は前記送風ファンの目標回転数を所定の回転数だけ低めに補正するようにしたので、前記上下羽根と前記複数の左右羽根の向きをワイド風向に設定したことによる、通風抵抗の減少に伴う風量の増加を防止できる。
【０１０１】
この結果、居住者に冷風感を与えることがなく、均一で快適な室内環境を提供することができる。
【０１０２】
請求項３記載の発明によれば、空気調和機の室内機内部に、室内熱交換器と送風ファンと、前記送風ファンを回転させるファンモータと、前記送風ファンの回転数を検出する回転数検出手段と、前記回転数検出手段で検出された送風ファンの回転数が予め定められた目標回転数になるようにフィードバック制御を行うファン回転数制御手段と、前記室内機の空気吹出口に風向きを垂直方向に変化させる上下羽根と、風向きを水平方向に変化させる複数の左右羽根を具備した空気調和機において、前記室内熱交換器に配管温度を検出する配管温度検出手段を設けて、前記上下羽根と前記複数の左右羽根の向きを、送出される風向きが中央寄りとなるスポット風向の位置に設定した場合に、暖房運転時は前記室内熱交換器の配管温度が所定の配管温度より高い場合のみ、前記送風ファンの目標回転数を所定の回転数だけ高めに補正するようにしたので、室内熱交換器の配管温度が低い、即ち吹き出し風の風温が低い場合に、前記上下羽根と前記複数の左右羽根の向きをスポット風向に設定した場合でも、居住者に集中的に低い温度の風があたることを防止できる。
【０１０３】
この結果、室内居住者に冷風感を与えることがなく、居住空間の快適性を向上することができる。
【０１０４】
請求項４記載の発明によれば、空気調和機の室内機内部に、室内熱交換器と送風ファンと、前記送風ファンを回転させるファンモータと、前記送風ファンの回転数を検出する回転数検出手段と、前記回転数検出手段で検出された送風ファンの回転数が予め定められた目標回転数になるようにフィードバック制御を行うファン回転数制御手段と、前記室内機の空気吹出口に風向きを垂直方向に変化させる上下羽根と、風向きを水平方向に変化させる複数の左右羽根を具備した空気調和機において、前記室内熱交換器に配管温度を検出する配管温度検出手段を設けて、前記上下羽根と前記複数の左右羽根の向きを、送出される風向きが左右に分散して吹き出すワイド風向の位置に設定した場合に、暖房運転時は前記室内熱交換器の配管温度が所定の配管温度より低い場合のみ、前記送風ファンの目標回転数を所定の回転数だけ低めに補正するようにしたので、暖房運転時に室内熱交換器の配管温度が高い時に、前記上下羽根と前記複数の左右羽根の向きをワイド風向に設定した場合でも、空気調和機が過負荷状態に陥ることを防止できる。
【０１０５】
この結果、空気調和機に負荷を与えることなく、均一で快適な室内環境を提供することができる。
【図面の簡単な説明】
【図１】本発明の実施の形態を示す空気調和機の室内機斜視図
【図２】図１におけるＩ―Ｉ縦断面図
【図３】本発明の実施の形態を示す左右羽根と上下羽根の配置を示す概略図
【図４】本発明の実施の形態を示す空気調和機の制御装置の構成図
【図５】本発明の実施の形態を示す制御フローチャート
【図６】本発明の実施の形態における他の実施の形態を示す制御フローチャート
【図７】本発明の実施の形態における他の実施の形態を示す制御フローチャート
【図８】本発明の実施の形態における他の実施の形態を示す制御フローチャート
【符号の説明】
Ａ  空気調和機
１  前面カバー
２  空気吸込口
３  室内熱交換器
４  送風ファン
５  リアガイダ
６  スタビライザ
７  送風路
８  空気吹出口
１９  上下羽根
１９ａ  中央部上下羽根
１９ｂ  左右部上下羽根
２０  左右羽根
２０ａ  中央部左右羽根
２０ｂ  端部左右羽根
４１  制御基板
４２  マイコン
４３  ファンモータ駆動回路
４４  ファンモータ
４５  上下羽根用モータ駆動回路
４６  上下羽根用モータ
４７  左右羽根用モータ駆動回路
４８  左右羽根用モータ
４９  配管温度センサ
５０  回転数検出手段
【図１】
0003861549.tif 000002
【図２】
0003861549.tif 000003
【図３】
0003861549.tif 000004
【図４】
0003861549.tif 000005
【図５】
0003861549.tif 000006
【図６】
0003861549.tif 000007
【図７】
0003861549.tif 000008
【図８】
0003861549.tif 000009